(57)【要約】【課題】  大規模災害時にデジタル放送で携帯電話にメッセージの送信を行う。【解決手段】  大規模災害等が発生するとデジタル放送局では、携帯電話向けメッセージ登録手段を稼動させ、登録されたメッセージおよび宛先である携帯電話の電話番号をデジタル放送の一部分に埋め込み、放送を行う。携帯電話は、前記デジタル放送信号を受信して、通信障害が発生したと認知するとともに、該デジタル放送信号から自局の電話番号を検索し、自局の電話番号に関連付けられたメッセージの取得を行う。さらに、デジタル放送局では、登録されたメッセージ量からメッセージ送信予定時刻を予測して時刻表を作成、配信を行う。携帯電話では、前記時刻表から自局宛メッセージ配信時刻を認識し、デジタル放送受信アプリの起動制御を行う。【選択図】  図１
2007180637.tif 000002
【特許請求の範囲】
【請求項１】
デジタル情報データ、デジタル映像データ、デジタル音声データの何れか、或いは全てを多重化したデジタル放送信号を送信するデジタル放送手段と前記デジタル放送信号の受信手段を備えた携帯端末で構成されるデジタル放送システムにおいて、
前記携帯端末は各々の端末で異なる固有ＩＤを有し、
前記デジタル放送手段には、任意の携帯端末の固有ＩＤである宛先ＩＤおよび宛先ＩＤに関連したメッセージを登録するメッセージ登録手段と、
該登録手段により登録された宛先ＩＤとメッセージとをメッセージデータとして記憶するメッセージ記憶手段と、
該メッセージ記憶手段に記憶されている前記メッセージデータを前記デジタル情報データに変換するメッセージ処理手段とを設け、前記デジタル放送手段はメッセージデータを含み多重化したデジタル放送信号を送信すると共に、
前記携帯端末には、前記デジタル放送信号を受信して、前記メッセージデータを取り出すデジタル放送信号処理手段と、
前記メッセージデータから前記宛先ＩＤを検出するＩＤ検出手段と、
該ＩＤ検出手段で検出した宛先ＩＤと前記携帯端末の自身の固有ＩＤを比較する比較手段と、
前記宛先ＩＤに関連付けられているデータを取得するデータ取得手段と、
該取得したデータを記憶する記憶手段とを設け、前記比較手段で前記宛先ＩＤと前記携帯端末の自身の固有ＩＤとが一致した場合に、前記データ取得手段が前記宛先ＩＤに関連付けられたメッセージを取得することを特徴とした、デジタル放送メッセージ送信システム。
【請求項２】
請求項１記載のデジタル放送メッセージ送信システムにおいて、
前記携帯端末は携帯電話機能を有し、前記装置毎に異なる固有ＩＤは前記携帯電話機能の電話番号であることを特徴としたデジタル放送メッセージ送信システム。
【請求項３】
請求項１または請求項２の何れかに記載のデジタル放送メッセージ送信システムにおいて、
前記デジタル放送手段の前記デジタル情報データに位置データを設け、
前記携帯端末は、位置情報取得手段を備え、前記デジタル放送手段から送られてくる位置情報の範囲内にある場合のみ自局宛のメッセージを受信することを特徴としたデジタル放送メッセージ送信システム。
【請求項４】
請求項１、請求項２または請求項３の何れかに記載のデジタル放送メッセージ送信システムにおいて、
前記デジタル放送手段に、登録されたＩＤとメッセージの数および容量から前記ＩＤの放送予定時刻を推定し、一定時間毎にメッセージ放送予定表を作成するスケジュール管理手段を設け、前記メッセージ放送予定表を該メッセージ放送予定表が作成される毎にデジタル放送で送信し、
前記携帯端末は、前記メッセージ放送予定表に従い、デジタル放送受信手段の開始および終了を行うこと特徴としたデジタル放送メッセージ送信システム。
【請求項５】
固有ＩＤをもち携帯電話機能を有する携帯端末において、
デジタル放送信号を受信する受信手段と、該受信したデジタル放送信号を、デジタル映像データ、デジタル音声データまたはデジタル情報データに分離し、処理する手段と、
前記デジタル情報データから任意の携帯電話の宛先ＩＤを検出する手段と、
該検出した宛先ＩＤと前記固有ＩＤとの比較手段と、
前記宛先ＩＤに関連付けられたメッセージの登録・記憶手段とを設け、
前記比較手段により前記宛先ＩＤと前記固有ＩＤが一致した場合に前記メッセージの登録・記憶手段はメッセージの登録・記憶を行うことを特徴とした携帯端末。
【発明の詳細な説明】
【技術分野】
【０００１】
本発明はデジタル放送を用いた情報確認システムとそのための携帯端末装置に関わり、特に、大規模災害時にデジタル放送を用いて携帯電話にメッセージを送る際の情報の通信方法に係る。
【背景技術】
【０００２】
地上デジタル放送が開始され、携帯電話で放送を受信できる端末の開発が推進されている。携帯電話や携帯電話機能をもつ携帯端末では、どこでも放送を受信できる利点に加えて、所有者を特定する固有ＩＤ（電話番号）を持っているので、所有者を限定したサービスが可能であると考えられる。一方、大規模災害発生時には、固定電話、携帯電話網が切断あるいは輻輳により繋がらなくなる。これらのことから、災害時に強い放送網を使った個人向けデータ放送システムを提案する。
【０００３】
災害時にデジタル放送を使った安否確認システムとしては、例えば、ＢＳデジタル放送を使った安否情報提供システムがある。前記安否確認システムは、被災者からの安否確認情報を電話で受付け、契約者と関連付けられたリストから、契約者を特定し、その契約者が求めている被災者の状況を得ることができる。また、他の従来例として、携帯電話を用いて安否確認する技術が検討されている。この安否確認技術は、携帯電話機に安否確認メッセージが送られてくると、携帯電話はこの安否確認メッセージへの応答のみに規制され、災害時に必要なメッセージのみの送受信を行うことで、通信回線のアクセス制限を行う。
【０００４】
【特許文献１】特開２００１−７６２７５号公報
【特許文献２】特開２００１−１６８９９０号公報
【発明の開示】
【発明が解決しようとする課題】
【０００５】
しかし解決しようとする問題点は、従来の方式では、前記安否情報システムでは被災者が被災地から電話連絡をする必要があり、また、電話やメールの受信側については何も対策されておらず、このような通信が制御されている状況におかれると、携帯電話の使用者は何度もメールの送受信や繋がらない電話をかけ続ける為、携帯電話の電池の消費を早め、必要なときに携帯電話が使用できなくなる問題がある。
【０００６】
また、大規模災害時には、携帯電話基地局が破壊等により使用不能になる場合を考慮し、衛星通信システムを使用するとしているが、現状、多く使われている携帯電話は、通常時に衛星通信を行う必要が無い為、衛星通信システムを搭載していない。
【課題を解決するための手段】
【０００７】
上記した課題を解決するために、本発明による、デジタル情報データ、デジタル映像データ、デジタル音声データの何れか、或いは全てを多重化したデジタル放送信号を送信するデジタル放送手段と前記デジタル放送信号の受信手段を備えた固有ＩＤを有する携帯端末で構成されるデジタル放送システムにおいて、前記デジタル放送手段には、任意の携帯端末の固有ＩＤである宛先ＩＤおよび宛先ＩＤに関連したメッセージを登録するメッセージ登録手段と、該登録手段により登録された宛先ＩＤとメッセージとをメッセージデータとして記憶するメッセージ記憶手段と、該メッセージ記憶手段に記憶されている前記メッセージデータを前記デジタル情報データに変換するメッセージ処理手段とを設け、前記デジタル放送手段はメッセージデータを含み多重化したデジタル放送信号を送信するように構成し、前記携帯端末には、前記デジタル放送信号を受信して、前記メッセージデータを取り出すデジタル放送信号処理手段と、前記メッセージデータから前記宛先ＩＤを検出するＩＤ検出手段と、該ＩＤ検出手段で検出した宛先ＩＤと前記携帯端末の自身の固有ＩＤを比較する比較手段と、前記宛先ＩＤに関連付けられているデータを取得するデータ取得手段と、該取得したデータを記憶する記憶手段とを設け、前記比較手段で前記宛先ＩＤと前記携帯端末の自身の固有ＩＤとが一致した場合に、前記データ取得手段が前記宛先ＩＤに関連付けられたメッセージを取得するように構成した。
【０００８】
そして、大規模災害時などの通信網が非常に混雑することが見込まれる状況では、被災地域への通常の携帯電話通信網でのメールの送信を停止し、地上デジタル放送での配信に切り替える。また、地上デジタル放送で配信されるメールはデジタル放送局の安否情報サーバに記録されたメールのみとする。また、メールの送信予定時刻を予め携帯電話に通知し、登録された時間のみ地上デジタル放送を受信することにより不要な電力の消費を抑えることができる。
【０００９】
本発明のデジタル放送メッセージ送信システムによる携帯電話安否確認システムによれば、地上デジタル放送で送られてくるデータを受信し、その中から自携帯電話または携帯端末宛のデータのみを選択し、受信できることから、自分宛のメッセージのみを受信できる。さらに、予め決められた時刻に、大よそのメッセージ送信時刻を送ることにより、携帯電話の電源を入れておく時間を短くすることができ、バッテリーの消費を少なくて済むようにできる。
【発明の効果】
【００１０】
本発明によれば、大規模災害時などにデジタル放送を用いて携帯電話にメッセージを送り、安否確認などを容易に行うことができる。
【発明を実施するための最良の形態】
【００１１】
以下、本発明の実施の形態について、地上デジタル放送を例にして、図面を参照しながら説明する。
図１は本発明の一実施例による全体構成図である。３はデジタル放送を行う放送局、７は放送用のアンテナ、８は放送用の中継局、１a、１bおよび１１は携帯電話、１０a、１０b、１０cは携帯電話の基地局、４は携帯電話網、５は交換局、６はインターネット網、１１は携帯電話の交換局の統括し、携帯電話網の状態管理・制御を行う携帯電話管理センタである。以下、各々の機能について説明する。
放送局３は、ＴＶコンテンツ作成手段３５、データ放送用のデータ作成手段３４、多重化処理手段３６、メッセージ処理手段３３、データ切り替え手段３２、送信手段３７とで構成される。
【００１２】
まず、デジタル放送の基本的な機能であるＴＶコンテンツ作成手段３５、データ放送用データ作成手段３４、多重化処理手段３６、送信手段３７、放送用アンテナ８について説明する。
ＴＶコンテンツ作成手段３５は、例えば、中継カメラから送られてきた映像や音声、信号あるいは放送局３に蓄積されているコンテンツ、あるいはインターネットや衛星アンテナを使って放送局３以外のデータベースにあるコンテンツを決められたスケジュールに従って切り替え、順次映像と音声を多重化手段３６に送出する。データ放送用データ処理手段３４はＴＶコンテンツ作成手段３５から送出されるコンテンツに関連したデータ、例えば番組情報や番組に関連したＵＲＬデータをデータ放送形式に合わせたデータとし、切り替え手段３１送出する。データ切り替え手段３１については後で説明するが、ここでは、前記データ放送用データ処理手段から出力されたデータを、前記多重化手段３６に出力する。
【００１３】
多重化処理手段３６は、前記ＴＶコンテンツ作成手段３５からの映像、音声およびデータ切り替え手段３１からのデータを伝送に適した信号形式に多重化するとともに、エラー訂正機能の付加、放送局３に割り当てられた周波数にする為の信号の変調、その他デジタル放送に必要な処理を行ってデジタル放送用信号を形成し、送信手段３７に送る。送信手段３７は、送信する形式、例えば、図１ではアンテナ８から無線で放送する形式にしてアンテナ８から放送電波を送る。
なお、送信手段３７の出力は、アンテナに限ったものではなく、光ケーブルや同軸ケーブル等、有線で伝送する方式を使ってもよい。また、放送用アンテナ８は、直接家庭用アンテナに放送するアンテナでもよいし、他の放送局の信号を合わせて送信するアンテナ塔に送信する為のみのアンテナでもよい。以上、放送局３のデジタル放送の基本的な流れの概略について説明した。
【００１４】
次に放送局がメッセージ送信を行う場合の機能、メッセージ切り替え手段３８、メッセージ処理手段３３について説明する。
メッセージ切り替え手段３８は、デジタル放送でメッセージの送信を行うと判断された場合、例えば、広域災害等で携帯電話網が使えなくなった場合や繋がりにくくなった場合等に、自動あるいは手動で、メッセージ処理手段３３への処理開始およびデータ切り替え手段３２へ、さらに、メッセージ処理手段３３のデータを多重化処理手段３６へ出力するよう通知する。メッセージ処理手段３３は、処理開始通知を受け取ると、インターネット網６に接続し、メッセージの取得を開始する。
【００１５】
メッセージ処理手段の機能ブロック図を図２に示す。図１とは同じものには同じ番号を付しており説明は省略する。メッセージ処理手段３３は、通信手段２０１、Ｗｅｂサーバ処理手段２０２、メッセージ管理データベース２０３、データ処理手段２０２で構成され、以下、各々の機能について説明する。
【００１６】
通信手段２０１は、例えばインターネット６のようなネットワークに接続する為の通信手段である。なお、通信手段２０１は無線ＬＡＮのような無線で接続する通信手段でもよい。Ｗｅｂサーバ処理手段２０２は、通信手段２０２およびインターネット６を介して、Ｗｅｂサーバ処理手段２０２に接続してくる情報機器、例えば、パソコン２０や携帯電話１１に画面表示用データを送信し、概送信した表示データに対して前記情報機器が入力したデータを送信することによりデータの取得を行う。Ｗｅｂサーバ処理手段２０２に用意された情報機器からのメッセージ受付画面である画面表示例を図３に示す。
【００１７】
パソコン２０や携帯電話１１が放送局３のメッセージ送受信手段３３に接続すると、例えば、図３の表示画面が表示される。ここで、メッセージ受付画面のＵＲＬはパソコンと携帯電話とで、同じでもよいし、各々専用の画面を設けてもよい。６６は表示画面全体であり、表示画面６６上にある、６７は電話番号入力ボックス、６８はメッセージ入力ボックス、６９はメッセージ登録ボタン、７０はメッセージ取り消しボタンを示している。メッセージを伝えたい人は、電話番号入力ボックス６７にメッセージを伝えたい相手先の携帯電話番号、メッセージ入力ボックス６８に伝えたいメッセージを記入し、登録ボタン６９を押すことにより、放送局３のメッセージ処理手段３３に送られ、Ｗｅｂサーバ処理手段２０２は、先に入力されたメッセージ、携帯電話番号に、メッセージを受信した日時等の付加情報を加えてメッセージ管理データベース２０３に格納する。
【００１８】
格納されたメッセージ情報例を図４に示す。メッセージ管理データベース２０３では電話番号７１にメッセージ７２、メッセージ登録日時７３が関連付けられて保管されている。これらメッセージ管理データベース２０３に保管されているデータを図２のデータ処理手段２０４で順次読み出し、データ放送形式にしてデータ切り替え手段３２にデータを送出する。
【００１９】
データ切り替え手段３２では、データ処理手段２０４でから送出されたデータを図1の多重化処理手段に送出する。これにより、放送局３から送られるデジタル放送は、データ放送部の部分に、メッセージ入った放送が送られることになる。
なお、メッセージ管理データベース２０３にデータが無い等によりメッセージ処理手段２０４からメッセージが送出されない場合は、データ切り替え手段３２は、データ放送用データ３４を出力してもよいし、新たにメッセージを受け付けている旨のデータを出力してもよい。
以上、本発明のメッセージ放送システムの送信側について説明した。
【００２０】
次に、メッセージを受信する携帯電話の動作について説明する。
携帯電話１a、１bおよび１１は、各々、通信可能な基地局、例えば図１では１０a、１０b、１０cを介して、他の携帯電話や固定電話との通話、メールサーバとのメール送受信等のデータ送受信を行う。また、携帯電話１a、１bは、デジタル放送受信アンテナを有し、放送用アンテナ８の送信領域９内にある場合は、放送用アンテナからデジタル放送を受信し、表示する。
携帯電話１aの機能ブロック構成の一例を図５に示す。図１とは同じものには同じ番号を付しており説明は省略する。また、携帯電話１ｂも携帯電話１aと同等の機能を有するし、説明は省略する。
【００２１】
以下、図５の各々の機能について説明する。
５１は通信用アンテナであり、基地局１０aと音声信号およびデータの送受信を無線で行う。５２は携帯電話の通信処理手段であり、通信用アンテナ５１より入力された信号をデジタルデータに変換、あるいは、音声データおよびデータを通信用アンテナ５１から送信する信号に変換する処理を行う。５４は制御処理手段であり、例えば、音声通話や、データ通信処理およびアプリケーション処理等を行う。５５は例えば液晶ディスプレイ等の表示手段、５６はスピーカやイヤホン、マイク等の音声入出力手段であり、制御処理手段５４により設定された表示や音声出力を必要に応じて行う。
【００２２】
６１はデジタル放送受信アンテナであり、中継局８からデジタル放送を受信する。６２はチューナ部であり、デジタル放送受信アンテナ６１で受信したデジタル放送信号から設定されたチャンネルを選局する。６３はデコーダ部であり、例えば、チューナ部６２で選局されたチャンネルの信号をＡＤ変換、復調、誤り訂正等を行い、映像信号および音声信号を制御処理手段５４に出力する。制御処理手段５４では、ユーザがデジタル放送を閲覧するアプリケーションを起動していれば、デコーダ部６３から出力された映像信号を表示手段５５で、音声信号を音声入出力手段５６に出力する。
【００２３】
次に、デジタル放送でメッセージを送信する場合として、例えば、基地局１０ａ、１０ｂの地域で、広域災害等により携帯電話の通信規制が発生した場合における、本メッセージ送受信システムの動作について、図６を用いて説明する。
基地局１０ａ、１０ｂの地域で通信規制を必要とする要因が発生した場合、交換局より、基地局１０aに通信規制が発生したことを通知すると共に、デジタル放送局３にも基地局１０aで通信規制を行っていることを通知する。
【００２４】
通信規制通知を受け取った基地局１０ａは通信規制を開始３１０するとともに、基地局１０ａの通信領域内にある携帯電話が、基地局１０ａに接続してきた際に、通信規制通知３１６を送る。携帯電話では、通信規制信号を受信３１１すると、メールアプリケーションの受信を停止３１８し、デジタル放送信号のメッセージデータの受信を開始３１２する。
一方、デジタル放送局３では、通信規制通知を受け取ると、図２で説明したメッセージ処理手段３３による安否確認等のメッセージの受付を開始する。次にデジタル放送局では、前記メッセージ処理手段３３でメッセージを取得した、あるいは、ある一定のメッセージが蓄積された場合にメッセージをデジタル放送すると判断し３１２、メッセージの放送を開始３１３する。これらメッセージの受付およびメッセージの放送はメッセージの取得を続行するという判断３１４がされている間は、繰り返す。ここで、メッセージの取得が不要と判断された場合はメッセージ処理手段３３によるメッセージの受付を終了３１５する。
【００２５】
デジタル放送の受信を開始３１９した携帯電話では、前記メッセージを含むデジタル放送を受信し、受信したメッセージの中から自局宛のメッセージを検出し３２０、メッセージを取得した３２１後、ユーザにメッセージ取得の旨を、着信音やバイブレーションで知らせる。
ここで、ユーザからの表示要求があれば携帯電話の表示画面にメッセージを表示３２２する。次に通信規制解除信号の受信有無を判断３２３し、通信規制が続いていれば、デジタル放送の受信を続行し、もし通信規制が解除されていれば、携帯電話は通常の通信モードとなり、メールの受信等を再開３２４する。ここで、通信規制の解除の判断は、例えば、通信規制されていた基地局から通信規制解除の信号を受け取ってもよいし、携帯電話が通信規制されてない地域へ移動することにより、通信規制されていない信号を受け取ることにより判断してもよい。
受信可能な地域に移った場合は、携帯電話の電源を入れるだけでメールの受信が可能になる。また、例えば、ユーザが電源を切るなどして強制的に解除することも可能であるが、この場合、基地局から通信規制通知を受信すると通信規制状態となる。
【００２６】
以上、説明したように、デジタル放送に携帯電話向けのメッセージを重畳して送信することにより、携帯電話では携帯電話網から、不要あるいは大容量のメッセージの受信、あるいは、繋がらない通信への無用なアクセスをなくすことができる為、携帯電話通信量を大幅に削減かのうになり、通信がほとんど規制を受けない状態になる。
【００２７】
なお、さらに放送局側のデータ量削減には、通信制限を受けている基地局で通信した携帯電話番号を放送局に登録し、その登録された携帯電話向けメッセージのみデジタル放送することにより、被災地にない携帯電話には送信しないようにでき、より必要なデータのみを放送することができる。
【００２８】
次に、放送局３から放送されるメッセージのデータ量が多く、メッセージ配信にまで時間がかかる場合の対応例について説明する。
携帯電話でデジタル放送の受信、表示を行うと、消費電力量が多くなり、バッテリーがすぐになくなってしまう。本発明では、放送局側では、蓄積されたメッセージをある一定時間ごとに整理し、メッセージ放送スケジュールを作成し、ある一定時刻ごとにメッセージ放送スケジュールデータを放送する。図７に、本発明のメッセージ放送スケジュールデータを示す。７１は携帯電話番号あるいは携帯電話番号の範囲を示し、７２は放送予定時刻を示している。例えば、携帯電話番号223456790番の携帯電話向けのメッセージは9:05から9:10の間に放送されることを示している。携帯電話ではこの間のみデジタル放送の受信を行えば、メッセージの取得が可能になる。
【００２９】
携帯電話では、このメッセージ放送スケジュールデータを受信し、自局の電話番号の放送時刻を取り出し、表示画面に通知するとともに、自局の電話番号の放送時刻にタイマーをセットし、デジタル放送受信を停止する。先に設定したタイマーにより、放送時刻近くになると、自動的にデジタル放送の受信を開始し、自局の携帯電話のメッセージを含むデジタル放送を受信し、蓄積を行う。
ここで、もし、メッセージがある場合は、メッセージを表示してもかまわないし、アラームや着メロ、バイブレータ等によりユーザにメッセージの取得を通知してもかまわない。メッセージの取得を終了すると、さらにスケジュールを確認し、再度、次回のスケジュール放送時刻あるいはメッセージ放送予定時刻にタイマーをセットした後、デジタル放送受信を停止する。
【００３０】
以上説明したように、メッセージ放送スケジュールを配信することにより、携帯電話でデジタル放送を受信する時間を短くし、さらに、自動的にメッセージを受信することによりユーザは携帯電話の表示をオン状態にして常にメッセージ着信を監視する必要が無いので、携帯電話の消費電力量を少なくでき、より、バッテリーを長い時間使うことができる。なお、メッセージ放送スケジュールデータの配信間隔はメッセージの量により最適な間隔として、図７で示した間隔より短くてもかまわないし、長くてもかまわない。
【００３１】
次に、大規模災害時に基地局１０ａが、倒壊、故障等により、通信不能の状態になった場合の、携帯電話１ａの動作について説明する。
携帯電話の基地局に通信不能な地域が発生すると、携帯電話管理センタ１１はデジタル放送局３に通信不能な基地局情報を通知する。デジタル放送局３では、緊急情報ＩＤおよび通信不能基地局通信範囲データをデータ放送で放送する。携帯電話１ａは、デジタル放送受信中に前記緊急情報ＩＤを受信すると、例えば、ＧＰＳによる位置情報取得手段により自分の位置情報を取得する。
【００３２】
位置情報機能をもつ携帯電話の機能構成説明図を図8に示す。図５と同じものには同じ番号を付し、説明は省略する。８０は位置検出用の衛星であり、８１は衛星を検出するアンテナ、８２は検出した衛星の位置関係から自分の現在位置を検出する位置検出手段である。
この位置検出手段８２で検出した位置と、先にデジタル放送で送られてきた通信不能基地局通信範囲データとを比較し、自分の位置情報データが通信不能基地局通信範囲内にある場合は携帯電話のユーザに画面表示あるいは音声で基地局通信不能範囲内にいることを通知するとともに、携帯電話回線を切断する。
さらに、デジタル放送からのメッセージの送信に備える。以下の動作については図５と同じなので、説明については省略する。
以上、本発明により、基地局が倒壊しても、その基地局の通信範囲内にあった、携帯電話の通信を停止する。このため、携帯電話では無用な通信による、消費電力を抑えることができる。
【図面の簡単な説明】
【００３３】
【図１】本発明の一実施例の構成説明図である。
【図２】本発明の一実施例のメッセージ処理手段の構成説明図である。
【図３】本発明の一実施例のメッセージ取得用表示画面の一例である。
【図４】本発明の一実施例のメッセージ構成説明図である。
【図５】本発明の一実施例の携帯電話の機能構成説明図である。
【図６】本発明の一実施例の通信規制時の処理説明図である。
【図７】本発明の一実施例のメッセージ送信予定の説明図である。
【図８】本発明の一実施例の携帯電話の機能構成説明図である。
【符号の説明】
【００３４】
１  携帯電話
３  デジタル放送局
４  携帯電話網
５  交換局
６  インターネット
７  デジタル放送用アンテナ
８  中継局
１０  基地局
１１  携帯電話管理センタ
２０  パソコン
５１  通信用アンテナ
５２  通信手段
５４  制御処理手段
５５  表示手段
５６  音声入出力手段
６１  デジタル放送受信アンテナ
６２  チューナ部
６３  デコーダ部
【図１】
2007180637.tif 000003
【図２】
2007180637.tif 000004
【図３】
2007180637.tif 000005
【図４】
2007180637.tif 000006
【図５】
2007180637.tif 000007
【図６】
2007180637.tif 000008
【図７】
2007180637.tif 000009
【図８】
2007180637.tif 000010